(57)【要約】【課題】前面枠を開放した際に索条などが邪魔になることがなく、構造が簡単で、小形に製造することができる遊技機の不正開放防止装置を提供する。【解決手段】係止ロッド１０は、係止部１２と係止部１２より小径の連結部１３を交互に連続して設けると共に、弾力性を有した棒状に形成される。係止受け部２０は、ホーン形導入部２６の中央に設けた導入孔２７の内側に、挿通孔２２と係止孔２３を設けた係止部材２１が摺動可能に配設される。挿通孔２２の内径は係止ロッド１０の係止部１２の外径より大きく形成され、係止孔２３の内径は係止ロッド１０の係止部１２の外径より小さく、連結部１３の外径より大きく形成される。係止部材２１には係止ロッド１０を係止孔２３内に係止させる方向に付勢するばね部材２４が設けられ、ばね部材２４の付勢力に抗して係止部材２１を非係止側に摺動させる電磁ソレノイド２５が設けられる。【選択図】図１
2006006842.tif 000002
【特許請求の範囲】
【請求項１】
遊技機の前面枠の内側に本体枠側に向けて固定される係止ロッドと、本体枠または本体枠を固定した島台に固定される係止受け部とを備え、該係止ロッドは、係止部と係止部より小径の連結部を交互に連続して設けると共に、曲げ弾性を有した棒状に形成され、該係止受け部には、ホーン形導入部の中央に設けた導入孔の内側に、挿通孔と係止孔を設けた係止部材が摺動可能に配設され、該挿通孔の内径は該係止ロッドの係止部の外径より大きく形成され、該係止孔の内径は係止ロッドの係止部の外径より小さく、該連結部の外径より大きく形成され、該係止部材には該係止ロッドを係止孔内に係止させる方向に付勢するばね部材が設けられ、該ばね部材の付勢力に抗して該係止部材を非係止側に摺動させる電磁ソレノイドが設けられたことを特徴とする遊技機の不正開放防止装置。
【請求項２】
曲げ弾性を有して棒状に形成された前記係止ロッドは、心材として金属ワイヤをプラスチックロッド内に挿入すると共にその外周部にコイルを巻装して形成され、先端にはプラスチックの球状先端部が形成されていることを特徴とする請求項１記載の遊技機の不正開放防止装置。
【発明の詳細な説明】
【技術分野】
【０００１】
本発明は、パチンコ機、スロットマシンなどの遊技機における前面枠の不正開放を防止する不正開放防止装置に関する。
【背景技術】
【０００２】
パチンコ機などの遊技機における開放可能な前面枠には、施錠装置が装着され、遊技中にパチンコ球などが詰まるなどの不具合が発生した場合、或は保守点検などにより遊技機の内部を点検する際などに、キーによる解錠操作によって施錠装置を解錠し、前面枠を開放する。
【０００３】
しかし、パチンコホールによっては、遊技機の不正開放を防止する観点から、遊技機の前面枠をキーにより解錠する際、管理用コンピュータによる許可信号を条件にして、前面枠を開放するようにしたい、という要望が出されていた。そこで、従来、下記特許文献１などにおいて、遊技機の前面枠の不正開放を防止するために、ワイヤなどの索条とそれを巻き取るリール巻取り装置を用いた不正開放防止装置が提案されている。
【特許文献１】特開平１０−９４６５２号公報
【発明の開示】
【発明が解決しようとする課題】
【０００４】
しかし、従来のこの種のパチンコ機の不正開放防止装置は、索条の先端を前面枠の施錠装置の鉤部に係止し、索条を巻装したリール巻取り装置をパチンコ機の本体枠の一部に固定し、リール巻取り装置にはその索条の引き出し動作にロックがかかるロック機構を装着し、そのロックを外すロック解除用ソレノイドを設けて構成される。そして、パチンコ機の前面枠を開放する際には、管理用コンピュータから開放許可信号がロック解除用ソレノイドの駆動回路に出力され、そのソレノイドの動作によってリール巻取り装置のロック機構を解除し、リール巻取り装置に巻装された索条の引き出しを可能とした状態で、前面枠を開放するものである。
【０００５】
このため、パチンコホールなどにおいて、遊技中などにキー操作により施錠装置を解錠し、リール巻取り装置のロック機構のロック解除を行って、前面枠を開くと、リールから引き出される索条が本体枠と前面枠との間に掛け渡される状態となり、その索条が内部点検や修理などの際に邪魔となり、作業性が悪くなるという課題があった。また、この種の不正開放防止装置としては、リール巻取り装置とそのリールの引き出しをロックするロック機構が複雑化し、大型化する問題があった。
【０００６】
本発明は、上述の課題を解決するものであり、前面枠を開放した際に索条などが邪魔になることがなく、構造が簡単で、小形に且つ安価に製造することができる遊技機の不正開放防止装置を提供することを目的とする。
【課題を解決するための手段】
【０００７】
本発明に係る遊技機の不正開放防止装置は、遊技機の前面枠の内側に本体枠側に向けて固定される係止ロッドと、本体枠または本体枠を固定した島台に固定される係止受け部とを備え、係止ロッドは、係止部と係止部より小径の連結部を交互に連続して設けると共に、曲げ弾性を有した棒状に形成され、係止受け部には、ホーン形導入部の中央に設けた導入孔の内側に、挿通孔と係止孔を設けた係止部材が摺動可能に配設され、挿通孔の内径は係止ロッドの係止部の外径より大きく形成され、係止孔の内径は係止ロッドの係止部の外径より小さく、連結部の外径より大きく形成され、係止部材には係止ロッドを係止孔内に係止させる方向に付勢するばね部材が設けられ、該ばね部材の付勢力に抗して該係止部材を非係止側に摺動させる電磁ソレノイドが設けられたことを特徴とする。なお、ここで、摺動とは、平行移動による摺動と回動による摺動の両方を含む概念である。
【０００８】
さらに、上記不正開放防止装置では、曲げ弾性を有して棒状に形成された上記係止ロッドは、心材として金属ワイヤをプラスチックロッド内に挿入すると共にその外周にコイルを巻装し、先端にプラスチックの球状先端部を形成することができる。
【発明の効果】
【０００９】
上記構成の遊技機の不正開放防止装置は、その係止ロッドが前面枠の内側に、本体枠側を向けて略水平に固定され、遊技機の本体枠の内側または遊技機が固定された島台上に、係止受け部がそのホーン形導入部を前面枠側に向けて固定される。係止ロッドの球状先端部は、前面枠を本体枠に対し閉鎖したとき、ホーン形導入部の導入孔に進入する位置に位置合わせされる。
【００１０】
前面枠を閉じると、係止ロッドの先端部が本体枠側の係止受け部に向かって進み、その先端部がホーン形導入部からその導入孔内に進入する。このとき、係止ロッドの先端部は導入孔から係止部材の挿通孔と係止孔の中間位置に進入し、係止ロッドの球状先端部及び係止部の傾斜面が挿通孔と係止孔の中間部の縁部に当たり、係止部材を非係止側に摺動させながら、係止ロッドは係止部材の挿通孔内に進入する。
【００１１】
このとき、係止ロッドの連結部間に設けた係止部は、係止部材の挿通孔と係止孔の中間位置に進入し、その係止部の傾斜面で係止部材を押して非係止側に摺動させて係止部が挿通孔を通過し、係止部が挿通孔を通過した後はばね部材の付勢力により係止部材が係止位置に戻るという動作を繰り返しながら、係止ロッドが係止部材の係止孔内に進入していく。
【００１２】
そして、前面枠が完全に閉鎖状態となると、係止孔に進入していた係止部がその位置で係止孔に係止されて、係止ロッドが係止受け部の係止部材から抜けない状態となり、前面枠は本体枠に対しロックされる。したがって、前面枠の施錠装置をキー操作により解錠したとしても、前面枠を開放することはできない。
【００１３】
一方、管理用コンピュータなどから不正開放防止装置の電磁ソレノイドの駆動回路に開放許可信号が出力されると、電磁ソレノイドが作動し、ばね部材の付勢力に抗して係止部材を係止解除方向に摺動させる。これにより、係止部材はその係止孔を係止ロッドの係止部から外して挿通孔に合わせる方向に移動する。このため、係止ロッドの係止部と係止部材の係止孔との係止は解消され、係止ロッドは係止部材の挿通孔を戻り方向に通過して前面枠が開放可能な状態となる。よって、この状態で、遊技機の施錠装置のキーを差し込んで解錠操作すれば、前面枠が解錠され、前面枠は開放される。
【００１４】
このように、この不正開放防止装置は、遊技機の前面枠の内側に本体枠側に向けて固定される係止ロッドと、本体枠または本体枠を固定した島台に固定される係止受け部とを備え、係止ロッドは、係止部と係止部より小径の連結部を交互に連続して設けると共に、曲げ弾性を有した棒状に形成され、係止受け部には、ホーン形導入部の中央に設けた導入孔の内側に、挿通孔と係止孔を設けた係止部材を摺動可能に配設して構成したから、従来のこの種の開放防止装置のように、索条が開いた前面枠と本体枠の間に繋がることはなくなる。よって、点検や修理の際に索条が邪魔をすることはなく、また、構造も簡単化され、小形化が可能となり、低コストで製作することができる。
【発明を実施するための最良の形態】
【００１５】
以下、本発明の一実施形態を図面に基づいて説明する。図１は不正開放防止装置の斜視図を示し、図２はその係止受け部２０の縦断面図を示し、図３はその水平断面図を示している。係止受け部２０は直方体形状のケースを有して構成され、ケース１の前面にはホーン形導入部２６が前方に向けて開くように開口して形成され、そのホーン形導入部２６の中央部奥には導入孔２７が形成されている。この導入孔２７は略円形の孔であり、後述の係止ロッド１０の外径より少し大きい内径を持って形成されている。
【００１６】
このホーン形導入部２６の導入孔２７の直後には、図３に示すように、板状の係止部材２１が上下に摺動可能に配設されている。板状の係止部材２１はホーン形導入部２６の中心軸（水平軸）に対し垂直に配設され、両側に設けたガイド部２９により所定の距離（例えば５ｍｍ）だけ上下に摺動可能に保持されている。
【００１７】
さらに、図３〜図５に示すように、係止部材２１には、導入孔２７に対応した位置に、挿通孔２２と係止孔２３が穿設され、挿通孔２２は円形の孔でその内径は、後述の係止ロッド１０の外径より少し大きい内径を持って形成される。また、係止孔２３は縦に長い長孔であって、その短径は後述の係止ロッド１０の外径より少し小径に形成され、図５に示すように、挿通孔２２と係止孔２３は一体となり、所謂鍵穴形状に形成されている。
【００１８】
また、図５に示すように、挿通孔２２の前面側は前方に開く方向に傾斜面を持って形成され、挿通孔２２と係止孔２３の境界付近に係止ロッド１０の球状先端部１４及び係止部１２が進入し、そこを通過する際、係止部材２１が下側への力を受けて下方に摺動する構造としている。さらに、係止部材２１には上部にばね部材（コイルばね）２４が掛けられ、係止部材２１の位置は、その挿通孔２２と係止孔２３の境界付近が導入孔２７の中心位置に一致するように、ばね部材２４を介して係止部材２１を懸吊保持させている。
【００１９】
したがって、後述の係止ロッド１０が導入孔２７から挿通孔２２に進入したとき、その球状先端部１４及び係止部１２により僅かな押下力が加えられ、これにより係止部材２１は、ばね部材２４に抗して僅かに下がることができる。また、ケース２８内には、電磁ソレノイド２５が取り付けられ、そのプランジャの先端が係止部材２１に連結され、係止部材２１は電磁ソレノイド２５の作動により、所定の距離（例えば５ｍｍ程度）だけ下降する。
【００２０】
上記構成の係止受け部２０に対応して係止ロッド１０が、遊技機の前面枠３１の内側に本体枠３０側に向けて取り付けられる。係止ロッド１０は、図２に示すように、ロッド部１５の先端側に球状先端部１４、係止部１２及び連結部１３が形成され、ロッド部１５の末端には、固定孔を設けた固定部１６が形成されている。
【００２１】
係止ロッド１０の先端部近傍は、係止部１２と係止部１２より小径の連結部１３が交互に連続するように形成され、先端に球状先端部１４が設けられ、係止ロッド全体は、曲げ弾性を有した棒状に形成される。連結部１３の外径は、球状先端部１４及び係止部１２の外径より小さく形成される。
【００２２】
ロッド部１５を含めて係止ロッド１０の全体は、曲げ弾性を有するプラスチックにより棒状に成形され、心材として金属性のワイヤ１７が中心軸上のロッド内にインサート成形されている。さらに、ロッド部１５の外周部にはコイルばね１８が巻装されると共にその外周にチューブが被覆され、係止ロッド１０には曲げ方向の荷重に対し充分な曲げ弾性を保持する構造としている。
【００２３】
ロッド部１５の先端側に形成される球状先端部１４、係止部１２及び連結部１３は、基本的に、その外径が導入孔２７の内径より小さく、且つ係止部材２１の挿通孔２２の内径より小さく形成されるが、球状先端部１４及び係止部１２の外径は係止部材２１の係止孔２３の内径（短径）より大きく形成されている。また、球状先端部１４は先端部を球状に形成してその先端部で係止部材２１の挿通孔２２と係止孔２３の境界部分付近を押圧したとき、係止部材２１が良好に下降するようにしている。また、同様に、係止部１２の外周部にはテーパ部（傾斜部）が設けられ、進入時にその係止部１２の外周部で挿通孔２２と係止孔２３の境界部分付近を押圧したとき、係止部材２１が良好に下降するようにしている。
【００２４】
このように構成される不正開放防止装置は、図７、図８に示すように、その係止ロッド１０が遊技機の前面枠３１の内側に本体枠３０側を向けて略水平に、その末端の固定部１６を介して固定される。また、その係止受け部２０は本体枠３０が固定される島台３２上の所定位置に固定される。
【００２５】
このとき、係止ロッド１０の先端と係止受け部２０のホーン形導入部２６の導入孔２７は対向する位置に、つまり前面枠３１を閉じる際、係止ロッド１０の球状先端部１４が導入孔２７に向かうように位置決めされて固定される。係止受け部２０内の電磁ソレノイド２５の駆動回路は、図示しない管理用コンピュータに接続され、管理用コンピュータによって電磁ソレノイド２５は動作する。
【００２６】
前面枠３１を本体枠３０に対し閉じると、係止ロッド１０の先端部が本体枠３０側の係止受け部２０に向かって進み、その球状先端部１４がホーン形導入部２６からその導入孔２７内に進入する。このとき、球状先端部１４は導入孔２７からその内側の係止部材２１の挿通孔２２と係止孔２３の境界付近（中間部付近）に進入し、係止ロッド１０の球状先端部１４及び係止部１２の外周部の傾斜面が挿通孔２２と係止孔２３の中間位置の縁部に当たり、係止部材２１を非係止側に摺動させながら、係止ロッド１０の先端は係止部材２１の挿通孔２２内に進入する。
【００２７】
そして、係止ロッド１０の小径の連結部１３間に設けた係止部１２は、係止部材２１の挿通孔２２と係止孔２３の中間位置に進入し、その係止部１２の傾斜面で係止部材２１を押して非係止側に摺動させながら、係止部１２が挿通孔２２を通過し、係止部１２が挿通孔２２を通過した後は、ばね部材２４の付勢力により係止部材２１が係止位置に戻るという動作を繰り返しながら、係止ロッド１０が係止部材２１の係止孔２３内に進入していく。そして、前面枠３１が本体枠３０に対し完全に閉鎖状態となると、図６（ａ）に示すように、係止孔２３に進入していた係止部１２がその位置で係止孔２３に係止された状態となり、係止ロッド１０は戻ることができず、前面枠３１は本体枠３０に対しロックされる。したがって、前面枠３１の施錠装置をキー操作により解錠したとしても、前面枠３１を開放することはできない。
【００２８】
一方、管理用コンピュータなどから係止受け部２０の電磁ソレノイド２５の駆動回路に開放許可信号が出力されると、電磁ソレノイド２５が作動してそのプランジャが引戻され、これにより、ばね部材２４の付勢力に抗して係止部材２１が係止解除方向に摺動する。このとき、図６（ｂ）のように、係止部材２１はその係止孔２３を係止ロッド１０の係止部１２から外して挿通孔２２に合わせる状態となる。このため、係止ロッド１０の係止部１２と係止部材２１の係止孔２３との係止は解消され、係止ロッド１０は係止部材２１の挿通孔２２を戻り方向に通過して係止受け部２０から離れ、前面枠３１が開放可能な状態となる。よって、この状態で、遊技機の施錠装置のキーを差し込んで解錠操作すれば、前面枠３１が解錠され、前面枠３１は開放される。
【００２９】
このように、上記不正開放防止装置によれば、遊技機の前面枠３１の内側に本体枠３０側に向けて固定される係止ロッド１０と、本体枠３０を固定した島台に固定される係止受け部２０とを備え、係止ロッド１０は、係止部１２と係止部１２より小径の連結部１３を交互に連続して設けると共に、曲げ弾性を有した棒状に形成され、係止受け部２０には、ホーン形導入部２６の中央に設けた導入孔２７の内側に、挿通孔２２と係止孔２３を設けた係止部材２１を摺動可能に配設して構成したから、従来の不正開放防止装置のように、索条が開いた前面枠と本体枠の間に繋がることはなく、点検や修理の際に索条が邪魔をすることはない。また、この不正開放防止装置は、構造が簡単であり、小形化も可能で、低コストで製造することができる。
【００３０】
なお、上記実施形態では、係止受け部２０を島台３２上に固定したが、それを本体枠３０の内側に固定することもできる。
【図面の簡単な説明】
【００３１】
【図１】本発明の一実施形態を示す不正開放防止装置の斜視図である。
【図２】係止ロッドの右側面図である。
【図３】同係止受け部の断面図である。
【図４】図３のIV-IV断面図である。
【図５】（ａ）は係止部材の正面図、（ｂ）は係止部材の断面図である。
【図６】（ａ）は係止時の係止部材と係止部の状態を示す背面図、（ｂ）は非係止時の係止部材と係止部の状態を示す背面図である。
【図７】使用状態を示す縦断面図である。
【図８】使用状態を示す水平断面図である。
【符号の説明】
【００３２】
１０−係止ロッド
１２−係止部
１３−連結部
２０−係止受け部
２１−係止部材
２２−挿通孔
２３−係止孔
２４−ばね部材
２５−電磁ソレノイド
２６−ホーン形導入部
２７−導入孔
【図１】
2006006842.tif 000003
【図２】
2006006842.tif 000004
【図３】
2006006842.tif 000005
【図４】
2006006842.tif 000006
【図５】
2006006842.tif 000007
【図６】
2006006842.tif 000008
【図７】
2006006842.tif 000009
【図８】
2006006842.tif 000010